(57)【要約】      （修正有）【課題】断熱性能を維持しつつ、便蓋の少なくとも側面部の厚みを薄くすることで、意匠性が損なわれることなく、待機時の消費電力を低減させた暖房便座装置を提供する。【解決手段】加熱部２１０を有する便座２００と、真空断熱体３２０と、前記真空断熱体３２０を被覆する被覆体３０１、３０２と、を有し、前記便座２００の上方及び便座２００の側面部３０５を覆う構造とした便蓋３００と、を備えたことを特徴とする暖房便座装置１００とした。【選択図】図１
2010110573.tif 000002
【特許請求の範囲】
【請求項１】
加熱部を有する便座と、
真空断熱体と、前記真空断熱体を被覆する被覆体と、を有し、前記便座の上方を覆う便蓋と、
を備えたことを特徴とする暖房便座装置。
【請求項２】
前記便蓋は、
前記便座の上面を覆う上面部と、
前記便座の外周側面を覆う側面部と、
を有し、
前記真空断熱体は、前記上面部および前記側面部に配設されたことを特徴とする請求項１記載の暖房便座装置。
【請求項３】
前記真空断熱体は、前記便蓋が閉じられた状態において、前記上面部の前記便座側に配設された第１の真空断熱体と、前記側面部の前記便座側に配設された第２の真空断熱体と、を有することを特徴とする請求項２記載の暖房便座装置。
【請求項４】
前記真空断熱体は、
芯材と、
前記芯材を大気圧よりも減圧された封止部に密閉した外皮と、
を有し、
前記封止部のうちで前記上面部に設けられた部分の周囲には、内側に向かって切り込まれた複数のスリットにより前記封止部を複数に区画した折込片が設けられ、前記折込片を屈曲させて前記側面部に配設させたことを特徴とする請求項２記載の暖房便座装置。
【請求項５】
前記便蓋は、
閉じた状態において上面を形成する便蓋本体と、
閉じた状態において下面を形成する前記被覆体と、
を有し、
前記真空断熱体は、前記上面部において、前記便蓋本体と前記被覆体との間で前記被覆体に沿うように配設され、前記便蓋本体と前記真空断熱体との間には断熱材が配設されたことを特徴とする請求項１〜４のいずれか１つに記載の暖房便座装置。
【発明の詳細な説明】
【技術分野】
【０００１】
本発明の態様は、一般的に、暖房便座装置に関し、具体的には便器に設けられる便座を暖めることができる暖房便座装置に関する。
【背景技術】
【０００２】
暖房便座装置は、例えば、内部にヒータを有する便座と、その便座の上部をカバーする便蓋と、を備えている。このような暖房便座装置では、便座の温度が暖房に値する温度（例えば、約３８〜４０℃程度）に達するまでに時間がかかるため、暖房時にはヒータを常時通電状態としている。このとき、便座と便蓋との間の隙間や、便器と便座との間の隙間などから空気が流れ込むと、ヒータからの熱はその対流により放熱する。その結果、大きな熱損失が生ずる場合がある。大きな熱損失が生ずると、暖房便座装置の待機時の消費電力はより大きくなる。
【０００３】
そこで、熱の対流による流出を防止し、対流熱損失を減少させて省エネルギーを図った便座装置がある（特許文献１）。特許文献１に記載された便座装置では、便蓋を閉めたときに、その便蓋は便座の少なくとも上面と外側面とを略覆うように構成されている。さらに、特許文献１では、便蓋内に断熱層を設けた便座装置が記載されている。
【０００４】
しかしながら、例えば発泡材のような断熱材を便蓋の内部に設けて断熱層を形成すると、便蓋の厚みが大きくなる。これに伴い、便蓋の側面部の厚みが大きくなると、使用者が便蓋を手で開閉する際に、その便蓋を持ちにくくなるという問題がある。また、便蓋が開いている場合には、便蓋の側面部が人目に付きやすいため、意匠性を損なうという問題がある。
【特許文献１】特開２０００−８３８６２号公報
【発明の開示】
【発明が解決しようとする課題】
【０００５】
本発明は、かかる課題の認識に基づいてなされたものであり、断熱性能を維持しつつ、便蓋の少なくとも側面部の厚みを薄くすることができる暖房便座装置を提供することを目的とする。
【課題を解決するための手段】
【０００６】
第１の発明は、加熱部を有する便座と、真空断熱体と、前記真空断熱体を被覆する被覆体と、を有し、前記便座の上方を覆う便蓋と、を備えたことを特徴とする暖房便座装置である。  
この暖房便座装置によれば、より優れた断熱性を有する真空断熱体が便蓋の空洞部に配設されているため、断熱性能を維持しつつ、便蓋の少なくとも側面部の厚さを薄くすることができる。そのため、使用者は、便蓋を手で開閉させる際に、その便蓋を持ちにくいと感じるおそれは少ない。また、側面部の厚さは薄いため、便蓋の意匠性が損なわれるおそれは少ない。さらに、便座からの放熱を抑制することができるため、待機時の消費電力を低減させることができる。
【０００７】
また、第２の発明は、第１の発明において、前記便蓋は、前記便座の上面を覆う上面部と、前記便座の外周側面を覆う側面部と、を有し、前記真空断熱体は、前記上面部および前記側面部に配設されたことを特徴とする暖房便座装置である。  
この暖房便座装置によれば、真空断熱体が便蓋の上面部および側面部に配設され、便座の上面および外周側面を覆うため、便座からの放熱をより抑制することができる。
【０００８】
また、第３の発明は、第２の発明において、前記真空断熱体は、前記便蓋が閉じられた状態において、前記上面部の前記便座側に配設された第１の真空断熱体と、前記側面部の前記便座側に配設された第２の真空断熱体と、を有することを特徴とする暖房便座装置である。  
この暖房便座装置によれば、便蓋の上面部に配設される真空断熱体と、便蓋の側面部に配設される真空断熱体と、は別体として設けられているため、便蓋の上面部と側面部とをより自由な形状に形成することができる。つまり、この暖房便座装置によれば、便蓋の上面部と側面部との形状に対してより柔軟に対応することができ、別体の真空断熱体を上面部および側面部にそれぞれ配設することができる。
【０００９】
また、第４の発明は、第２の発明において、前記真空断熱体は、芯材と、前記芯材を大気圧よりも減圧された封止部に密閉した外皮と、を有し、前記封止部のうちで前記上面部に設けられた部分の周囲には、内側に向かって切り込まれた複数のスリットにより前記封止部を複数に区画した折込片が設けられ、前記折込片を屈曲させて前記側面部に配設させたことを特徴とする暖房便座装置である。
この暖房便座装置によれば、便蓋の上面部と側面部との間にほとんど隙間なく真空断熱体を配設できるため、より優れた断熱性能を確保することができる。
【００１０】
また、第５の発明は、第２〜第４のいずれか１つの発明において、閉じた状態において上面を形成する便蓋本体と、閉じた状態において下面を形成する前記被覆体と、を有し、前記真空断熱体は、前記上面部において、前記便蓋本体と前記被覆体との間で前記被覆体に沿うように配設され、前記便蓋本体と前記真空断熱体との間には断熱材が配設されたことを特徴とする暖房便座装置である。  
この暖房便座装置によれば、より優れた断熱性能を有する真空断熱体と、より軽量な発泡樹脂製の断熱材と、を組み合わせて設けることにより、便蓋の上面部を適度な厚さに設定することができる。そのため、便蓋の被覆体を便座に近接させることができる。その結果、便蓋を閉じた状態において、真空断熱体を便座に近接させることができるため、便座からの放熱をより抑制できる。
【発明の効果】
【００１１】
本発明の態様によれば、断熱性能を維持しつつ、便蓋の少なくとも側面部の厚みを薄くすることができる暖房便座装置が提供される。
【発明を実施するための最良の形態】
【００１２】
以下、本発明の実施の形態について図面を参照しつつ説明する。なお、各図面中、同様の構成要素には同一の符号を付して詳細な説明は適宜省略する。  
図１は、本発明の実施の形態にかかる暖房便座装置を備えたトイレ装置を例示する側面模式図である。  
なお、便蓋については、その内部構造を表している。
【００１３】
図１に表したトイレ装置は、洋式腰掛便器（以下説明の便宜上、単に「便器」と称する）５００と、その上に設けられた暖房便座装置１００と、を備える。暖房便座装置１００は、便座２００と、便蓋３００と、を有する。
【００１４】
便座２００は、その内部に加熱部２１０を有する。この加熱部２１０は、通電されて発熱することにより、便座２００を暖めることができる。また、便座２００は、その下部に支持部２０３を有する。この支持部２０３は、便座２００が閉じた状態において、便器５００に当接され、便座２００を支持することができる。なお、図１に表した便座２００は１本の加熱部２１０を有しているが、これだけに限定されず、２本以上の複数の加熱部２１０を有していてもよい。また、加熱部２１０は、線状のものに限定されず、面状のものであってもよい。
【００１５】
便蓋３００は、図１に表したように、閉じた状態において、上面を形成する便蓋本体３０１と、下面を形成する底板（被覆体）３０２と、を有する。そして、便蓋本体３０１と、底板３０２と、の間には、空洞部３０３が形成されている。また、便蓋３００は、図１に表したように、閉じた状態において、便座２００の上面２０１を覆う上面部３０４と、便座２００の外周側面２０２を覆う側面部３０５と、を有する。つまり、便蓋３００は、閉じた状態において、便座２００の上面２０１および外周側面２０２を覆うように形成されている。
【００１６】
便蓋３００の内部の空洞部３０３には、真空断熱体３２０、３３０が設けられている。真空断熱体（第１の真空断熱体）３２０は、便蓋３００の上面部３０４に配設され、真空断熱体（第２の真空断熱体）３３０は、便蓋３００の側面部３０５に配設されている。また、真空断熱体３２０は、図１に表したように、便蓋３００を閉じた状態において、上面部３０４の下側、すなわち便座２００側に配設されている。つまり、真空断熱体３２０は、便蓋３００の上面部３０４において、底板３０２に沿うように配設されている。これにより、真空断熱体３２０は、便蓋３００を閉じた状態において、便座２００に近接している。また、真空断熱体３３０は、図１に表したように、便蓋３００を閉じた状態において、側面部３０５の内側、すなわち便座２００側に配設されている。これにより、真空断熱体３３０は、便蓋３００を閉じた状態において、便座２００に近接している。
【００１７】
便蓋３００の内部の空洞部３０３には、発泡樹脂製の断熱材３１０がさらに設けられている。この断熱材３１０は、便蓋本体３０１と真空断熱体３２０との間に配設され、真空断熱体３２０の動きを拘束する役割も果たしている。ここで、真空断熱体について、図面を参照しつつ説明する。
【００１８】
図２は、本実施形態の真空断熱体の構造を例示する断面模式図である。  
真空断熱体３２０は、外皮３２１と芯材３２３とを有する。外皮３２１の内部には芯材３２３が充填され、その内部は真空排気されている。すなわち、芯材３２３は、外皮３２１によって、大気圧よりも減圧された封止部に密閉されている。外皮３２１は、例えば、ガスバリア性を有するガスバリア層と、有機フィルムと、が積層されたラミネートフィルムなどにより形成されている。ガスバリア層としては、例えば、アルミニウムの金属箔などが使用される。一方、芯材３２３は、例えば、断熱性を有する多孔質構造の材料などにより形成されている。このような芯材３２３としては、シリカなどの微粉末や、ウレタンフォームなどの発泡材や、ガラス繊維などが使用される。
【００１９】
外皮３２１には、図示しない接着層が設けられている。そして、２枚の外皮３２１は、それぞれの接着層が向かい合うように配置され、熱により接着（融着）されている。その結果、図２に表したように、芯材３２３の周囲の全周に亘って、接着部３２５が形成されている。これにより、芯材３２３が充填された外皮３２１の内部では、真空性が確保されている。
【００２０】
このような真空断熱体３２０は、気体による熱伝導率が無視できるほどに小さいため、ウレタンフォームなどの発泡材よりも優れた断熱性能を有する。つまり、真空断熱体３２０は、同じ厚さのウレタンフォームなどの発泡材と比較すると、より優れた断熱性を有する。そのため、真空断熱体３２０は、その厚さが薄い場合であっても、ウレタンフォームなどの発泡材と同等あるいはそれ以上の断熱性能を有する。したがって、真空断熱体３２０を使用する場合には、その厚さを薄くしても、断熱性能を確保することができる。
【００２１】
なお、図２に関する説明では、便蓋３００の上面部３０４に配設された真空断熱体３２０を例に挙げて説明したが、便蓋３００の側面部３０５に配設された真空断熱体３３０についても同様の構造および性能を有する。また、後に詳述する真空断熱体３４０、３５０についても同様の構造および性能を有する。
【００２２】
図１に戻って説明を続けると、真空断熱体３２０は、便蓋３００の上面部３０４に配設され、真空断熱体３３０は、便蓋３００の側面部３０５に配設されているため、本実施形態にかかる暖房便座装置１００は、便座２００から外方への放熱を抑制できる。また、便蓋３００の空洞部３０３には、より優れた断熱性能を有する真空断熱体３２０、３３０と、より軽量な発泡樹脂製の断熱材３１０と、が組み合わせて設けられているため、便蓋３００の上面部３０４を適度な厚さに設定することができる。そのため、便蓋３００の底板３０２を便座２００に近接させることができる。その結果、便蓋３００を閉じた状態において、真空断熱体３２０を便座２００に近接させて便座２００の周囲の空気量を少なくすることができるため、暖房便座装置１００は、便座２００から周囲への放熱をより抑制できる。
【００２３】
さらに、便蓋３００は、閉じた状態において、便座２００の上面２０１および外周側面２０２を覆うため、本実施形態にかかる暖房便座装置１００は、便座２００と便蓋３００との間の隙間や、便器５００と便座２００との間の隙間などからの対流による放熱を抑制できる。そのため、暖房便座装置１００は、待機時の消費電力を低減させることができる。
【００２４】
またさらに、図２に関して前述したように、真空断熱体３２０、３３０は、より優れた断熱性を有するため、その厚さが薄い場合であっても、断熱性能を確保することができる。そのため、本実施形態の暖房便座装置１００では、断熱性能を維持しつつ、便蓋３００の少なくとも側面部３０５の厚さを薄くすることができる。
【００２５】
これによれば、使用者は、便蓋３００を手で開閉させる際に、その便蓋３００を持ちにくいと感じるおそれは少ない。また、開いている状態の便蓋３００の側面部３０５は、人目に付きやすいが、その側面部３０５の厚さは薄いため、便蓋３００の意匠性が損なわれるおそれは少ない。
【００２６】
次に、便蓋３００の上面部３０４に配設される真空断熱体３２０と、便蓋３００の側面部３０５に配設される真空断熱体３３０と、の構造および設置形態について、図面を参照しつつ説明する。  
図３は、本実施形態の便蓋の上面部に配設される真空断熱体を表す平面模式図である。  また、図４（ａ）は、本実施形態の便蓋の側面部に配設される真空断熱体を表す平面模式図であり、図４（ｂ）は、本実施形態の便蓋の側面部に配設された状態の真空断熱体の設置形態を上方から眺めた平面模式図である。
【００２７】
真空断熱体３２０は、図２に関して前述したように、外皮３２１と芯材３２３とを有し、その外皮３２１の内部に芯材３２３が充填されている。そして、その芯材３２３の周囲の全周に亘って、接着部３２５が形成されている。以下、説明の便宜上、外皮の内部に芯材が充填された部分を「封止部」と称する。
【００２８】
便蓋３００の上面部３０４に配置される真空断熱体３２０の封止部３２４は、図３に表したように、前方部において曲線部を有し、後方部において直線部を有する。接着部３２５は、その封止部３２４の周囲の全周に亘って形成されている。つまり、真空断熱体３２０は、便蓋３００を上面に対して垂直に見た場合において、その便蓋３００の形状と同様の形状を有する。そして、真空断熱体３２０は、便蓋３００の上面部３０４の略全体に亘って配設されている。
【００２９】
接着部３２５は、図１に表したように、便蓋３００の上面部３０４に配設された際には、適宜折り曲げられている。このように、接着部３２５の厚さは薄いため、その接着部３２５を折り曲げたり、折り重ねることができる。つまり、接着部３２５は、ある程度の曲げに対して柔軟に対応することができる。
【００３０】
一方、封止部３２４は、ある程度の曲げに対して対応することはできるが、曲げられた部分の内半径は、封止部３２４の厚さ以上の大きさが必要である。そのため、封止部３２４を折り重ねることは困難であり、もし折り重ねることができた場合であっても、その折り重ねられた部分の厚さは封止部３２４の厚さの３倍以上になる。
【００３１】
そのため、本実施形態にかかる暖房便座装置１００では、便蓋３００の上面部３０４に配設される真空断熱体３２０と、便蓋３００の側面部３０５に配設される真空断熱体３３０と、は別体として設けられている。そこで、便蓋３００の側面部３０５に配設される真空断熱体３３０の封止部３３４は、図４（ａ）に表したように、帯状の形状を有する。接着部３３５は、その封止部３３４の周囲の全周に亘って形成されている。なお、放熱防止のために、真空断熱体３３０は、便蓋３００の側面形状にほぼ合致する形状に形成するのが好ましい。
【００３２】
真空断熱体３３０は、図４（ｂ）に表したように、便蓋３００の側面部３０５に沿うように曲げられて配設されている。つまり、図４（ａ）に表した封止部３３４の表面が、便蓋３００の外側あるいは内側に向くように配設されている。このように曲げられたときの封止部３３４の内半径は、その封止部３３４の厚さよりも十分に大きい。そのため、便蓋３００の側面部３０５に沿うように真空断熱体３３０を曲げることにより、その真空断熱体３３０を側面部３０５に配設することができる。
【００３３】
このように、本実施形態かかる暖房便座装置１００では、上面部３０４に配設される真空断熱体３２０と、側面部３０５に配設される真空断熱体３３０と、は別体として設けられているため、便蓋３００の上面部３０４と側面部３０５とをより自由な形状に形成することができる。つまり、本実施形態かかる暖房便座装置１００では、便蓋３００の上面部３０４と側面部３０５との形状に対してより柔軟に対応することができ、真空断熱体３２０、３３０を上面部３０４および側面部３０５にそれぞれ配設することができる。
【００３４】
図５は、本実施形態の変形例にかかる暖房便座装置を備えたトイレ装置を例示する側面模式図である。  
また、図６は、本変形例の真空断熱体を表す平面模式図である。  
なお、便蓋については、図１に表した便蓋と同様に、その内部構造を表している。
【００３５】
本変形例にかかる暖房便座装置１００ａの便蓋３００ａは、その内部の空洞部３０３に真空断熱体３４０を有する。真空断熱体３４０は、便蓋３００ａの上面部３０４および側面部３０５に配設されている。つまり、真空断熱体３４０は、図１に表した真空断熱体３２０と真空断熱体３３０とが一体化されたような構造を有する。
【００３６】
真空断熱体３４０の封止部３４４は、図６に表したように、前方部において曲線部を有し、後方部において直線部を有する。接着部３２５は、その封止部３２４の周囲の全周に亘って形成されている。ここで、真空断熱体３４０を上面部３０４および側面部３０５に配設させるために、図６に表した二点鎖線Ａに沿って封止部３４４を曲げると、封止部３４４および接着部３４５の前方部に皺（しわ）がそれぞれ生ずる。これは、封止部３４４および接着部３４５が、その前方部に曲線部をそれぞれ有するためである。封止部３４４および接着部３４５に皺がそれぞれ生じた場合には、その皺の部分を折り重ねて、封止部３４４および接着部３４５の厚さをより薄くすることが好ましい。
【００３７】
しかしながら、図３および図４に関して前述したように、封止部３４４は、ある程度の曲げに対して対応することはできるが、曲げられた部分の内半径は、封止部３４４の厚さ以上の大きさが必要である。つまり、封止部３４４は、封止部３４４自身の厚さ以下の大きさの内半径では屈曲できない。そのため、封止部３４４に生じた皺の部分を折り重ねることは困難である。
【００３８】
これに対して、本変形例の真空断熱体３４０の封止部３４４は、図６に表したように、その周端部を複数に区画された折込片３４４ａを有する。そして、隣接する折込片３４４ａ同士の間には、封止部３４４の周端部から内側に向かって切り込まれたスリット３４４ｂが形成されている。言い換えれば、スリット３４４ｂが形成され、封止部３４４の周端部が複数に区画された結果、上面部３０４に設けられる封止部３４４の周囲には側面部３０５に設けられる折込片３４４ａが形成されている。
【００３９】
これによれば、図６に表した二点鎖線Ａに沿って封止部３４４を曲げた場合であっても、封止部３４４の曲線部において皺が生ずることはない。これは、封止部３４４を曲げた際に生ずる余計な部分（皺になる部分）が、スリット３４４ｂによって吸収されるためである。そのため、本変形例の暖房便座装置１００ａでは、真空断熱体３４０を図６に表した二点鎖線Ａに沿って曲げることにより、その真空断熱体３４０を上面部３０４および側面部３０５に配設させることができる。このように封止部３４４にスリット３４４ｂが形成されるだけでも、真空断熱体３４０を底板３０２に沿わせて曲げることができる。
【００４０】
このとき、隣接する折込片３４４ａ同士の間の接着部３４５は、折り重なった状態になる。その場合、隣接する折込片３４４ａ同士の間には、封止部３４４の無い断熱性の弱い部分が形成されてしまう。そこで、接着部３４５にも、封止部３４４に形成されたスリット３４４ｂの間に入り込むようにして、スリット３４５ａを形成するのが好ましい。このスリット３４５ａは、封止部３４４の真空を保持するのりしろ部を残すように形成される。これによれば、隣接する折込片３４４ａ同士をより近づけることができ、また、接着部３４５の曲線部において皺が生ずることはない。
【００４１】
なお、上面部３０４と側面部３０５との間の屈曲部３４９の内半径は、封止部３４４の厚さ以上の大きさを有する。そのため、本変形例の真空断熱体３４０は、屈曲部３４９において屈曲できる。なお、その他の構造については、図１に表した暖房便座装置１００と同様の構造と同様である。
【００４２】
本変形例にかかる暖房便座装置１００ａによれば、便蓋３００ａの上面部３０４と側面部３０５との間にほとんど隙間なく真空断熱体３４０を配設できるため、図１に表した暖房便座装置１００よりも優れた断熱性能を確保することができる。そのため、本実施形態の暖房便座装置１００ａでは、断熱性能を維持しつつ、便蓋３００ａの少なくとも側面部３０５の厚さをより薄くすることができる。これによれば、使用者は、便蓋３００ａを手で開閉させる際に、その便蓋３００ａを持ちにくいと感じるおそれはより少ない。また、便蓋３００ａの側面部３０５の厚さはより薄いため、便蓋３００ａの意匠性が損なわれるおそれはより少ない。
【００４３】
次に、本実施形態にかかる暖房便座装置について、具体例を挙げつつ、より具体的に説明する。  
図７は、本実施形態の具体例にかかる暖房便座装置を備えたトイレ装置を例示する斜視模式図である。  
また、図８は、本具体例の便蓋の内部構造を表す断面模式図であり、図７に表したＢ−Ｂ断面図に相当する。
【００４４】
本具体例にかかる暖房便座装置１００を備えたトイレ装置は、図７に表したように、便器５００と、その上に設けられた暖房便座装置１００と、を備える。暖房便座装置１００は、便座２００と、便蓋３００と、機能部４００と、を有する。便座２００と便蓋３００とは、機能部４００に対して開閉自在にそれぞれ軸支されている。便座２００は、前述したように、その内部に加熱部２１０を有する。
【００４５】
機能部４００は、図示しない温度センサからの検知信号に基づいて加熱部２１０の加熱量を制御する制御部４１０を有する。加熱部２１０は、制御部４１０からの制御信号に基づいて発熱することにより、便座２００を暖めることができる。
【００４６】
また、機能部４００は、衛生洗浄装置としての機能部を併設してもよい。すなわち、機能部４００は、便座２００に座った使用者の「おしり」などに向けて水を噴出する図示しない吐水ノズルを有する衛生洗浄機能部などを適宜備えてもよい。なお、本願明細書において「水」という場合には、冷水のみならず、加熱されたお湯も含むものとする。
【００４７】
またさらに、機能部４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、機能部４００の側面には、脱臭ユニットからの図示しない排気口、及び室内暖房ユニットからの図示しない排出口が適宜設けられる。ただし、本発明においては、衛生洗浄機能部やその他の付加機能部は必ずしも設けなくてもよい。
【００４８】
便蓋３００は、図８に表したように、閉じた状態において、上面を形成する便蓋本体３０１と、下面を形成する底板３０２と、を有する。そして、便蓋本体３０１と、底板３０２と、の間には空洞部３０３が形成され、その空洞部３０３には、真空断熱体３２０、３３０が設けられている。真空断熱体（第１の真空断熱体）３２０は、便蓋３００の上面部３０４に配設され、真空断熱体（第２の真空断熱体）３３０は、便蓋３００の側面部３０５に配設されている。
【００４９】
また、真空断熱体３２０は、図８に表したように、便蓋３００を閉じた状態において、上面部３０４の下側、すなわち便座２００側に配設されている。つまり、真空断熱体３２０は、便蓋３００の上面部３０４において、底板３０２に沿うように配設されている。これにより、真空断熱体３２０は、便蓋３００を閉じた状態において、便座２００に近接している。さらに、真空断熱体３２０は、その後方部の領域Ｃにおいて、上方に曲げられている。このとき、領域Ｃにおける屈曲部の内半径は、封止部３２４の厚さ以上の大きさを有する。そのため、図８に表したように、本具体例の真空断熱体３２０は、領域Ｃにおいて屈曲できる。
【００５０】
便蓋３００の内部の空洞部３０３には、発泡樹脂製の断熱材３１０がさらに設けられている。この断熱材３１０は、便蓋本体３０１と真空断熱体３２０との間に配設されている。その他の構造については、図１〜図４に関して前述した通りである。
【００５１】
本具体例にかかる暖房便座装置１００によれば、真空断熱体３２０は、便蓋３００の上面部３０４に配設され、真空断熱体３３０は、便蓋３００の側面部３０５に配設されているため、便座２００から外方への放熱を抑制することができる。また、便蓋３００の空洞部３０３には、より優れた断熱性能を有する真空断熱体３２０、３３０と、より軽量な発泡樹脂製の断熱材３１０と、が組み合わせて設けられているため、便蓋３００の上面部３０４を適度な厚さに設定することができる。そのため、便蓋３００の底板３０２を便座２００に近接させることができ、その結果として、真空断熱体３２０を便座２００に近接させて便座２００の周囲の空気量を少なくすることができる。したがって、本具体例にかかる暖房便座装置１００は、便座２００から周囲への放熱をより抑制でき、待機時の消費電力を低減させることができる。
【００５２】
さらに、図２に関して前述したように、真空断熱体３２０、３３０は、より優れた断熱性を有するため、その厚さが薄い場合であっても、断熱性能を確保することができる。そのため、本実施形態の暖房便座装置１００では、断熱性能を維持しつつ、便蓋３００の少なくとも側面部３０５の厚さを薄くすることができる。
【００５３】
これによれば、使用者は、便蓋３００を手で開閉させる際に、その便蓋３００を持ちにくいと感じるおそれは少ない。また、開いている状態の便蓋３００の側面部３０５は、人目に付きやすいが、その側面部３０５の厚さは薄いため、便蓋３００の意匠性が損なわれるおそれは少ない。
【００５４】
図９は、本実施形態の他の具体例の便蓋の内部構造を表す断面模式図であり、図７に表したＢ−Ｂ断面図に相当する。  
本具体例にかかる暖房便座装置１００ａの便蓋３００ａは、その内部の空洞部３０３に真空断熱体３４０を有する。真空断熱体３４０は、便蓋３００ａの上面部３０４および側面部３０５に配設されている。つまり、真空断熱体３４０は、図８に表した真空断熱体３２０と真空断熱体３３０とが一体化されたような構造を有する。その他の構造については、図８に表した暖房便座装置１００の構造と同様である。
【００５５】
本具体例にかかる暖房便座装置１００ａによれば、便蓋３００ａの上面部３０４と側面部３０５との間にほとんど隙間なく真空断熱体３４０を配設できるため、図８に表した暖房便座装置１００よりも優れた断熱性能を確保することができる。そのため、本実施形態の暖房便座装置１００ａでは、断熱性能を維持しつつ、便蓋３００ａの少なくとも側面部３０５の厚さをより薄くすることができる。
【００５６】
そのため、使用者は、便蓋３００ａを手で開閉させる際に、その便蓋３００ａを持ちにくいと感じるおそれはより少ない。また、便蓋３００ａの側面部３０５の厚さはより薄いため、便蓋３００ａの意匠性が損なわれるおそれはより少ない。また、その他の効果についても、図８に関して前述した効果と同様の効果を得ることができる。
【００５７】
図１０は、本実施形態のさらに他の具体例の便蓋の内部構造を表す断面模式図であり、図７に表したＢ−Ｂ断面図に相当する。  
本具体例にかかる暖房便座装置１００ｂでは、便蓋３００ｂと機能部４００ｂとの上面が略水平且つ略同一面となるように設けられている。つまり、便蓋３００ｂが閉じた状態において、便蓋本体３０１ｂは、略水平となるように形成されている。これによれば、暖房便座装置１００ｂは、すっきりとしたデザインを有する。そのため、本具体例にかかる暖房便座装置１００ｂは、その意匠性を高めることができる。
【００５８】
本具体例の便座２００ｂは、便蓋本体３０１ｂと同様に、その上面２０１ｂが略水平となるように形成されている。便蓋本体３０１ｂと、便座２００ｂの上面２０１ｂと、が略水平に形成されていることにより、便蓋３００ｂが閉じた状態の上面部３０４において、真空断熱体３２０ｂと底板３０２ｂとは略水平に形成されている。つまり、真空断熱体３２０ｂおよび底板３０２ｂは、図８および図９に表した領域Ｃのようには、曲げられていない。また、便蓋本体３０１ｂと真空断熱体３２０ｂとの間に設けられた断熱材３１０ｂは、図１０に表したように、その厚さが略均一となるように形成されている。その他の構造については、図８に表した暖房便座装置１００の構造と同様である。
【００５９】
これによれば、真空断熱体３２０ｂは、閉じた状態の便蓋３００ｂの上面部３０４において、略水平に設けられ、図８および図９に表した領域Ｃのようには曲げられていないため、真空断熱体３２０ｂをより容易に形成することができる。また、図１０に表したように、便蓋３００ｂの側面部３０５の厚さだけではなく、便蓋３００ｂの上面部３０４の厚さをより薄くすることができる。つまり、本実施形態の暖房便座装置１００ｂでは、断熱性能を維持しつつ、便蓋３００ｂの全体をより薄く形成することができる。
【００６０】
したがって、使用者は、便蓋３００ｂを手で開閉させる際に、その便蓋３００ｂを持ちにくいと感じるおそれはより少ない。また、前述したように、暖房便座装置１００ｂは、すっきりとしたデザインを有するため、意匠性を高めることができる。なお、本具体例においては、上面部３０４に配設された真空断熱体３２０ｂと、側面部３０５に配設された真空断熱体３３０と、が別体である場合を例に挙げて説明したが、これだけに限定されず、図９に表したような一体化された真空断熱体３４０が、上面部３０４および側面部３０５に配設されていてもよい。この場合であっても、断熱性能を維持しつつ、便蓋３００ｂの全体をより薄く形成することができる。
【００６１】
図１１は、本実施形態のさらに他の具体例にかかる暖房便座装置を備えたトイレ装置を例示する斜視模式図である。  
また、図１２は、本具体例の真空断熱体を表す平面模式図である。
【００６２】
本具体例にかかる暖房便座装置１００ｃを備えたトイレ装置は、図７に表したトイレ装置と同様に、便器５００ｃと、その上に設けられた暖房便座装置１００ｃと、を備える。暖房便座装置１００ｃは、便座２００ｃと、便蓋３００ｃと、機能部４００ｃと、を有する。便座２００ｃと便蓋３００ｃとは、機能部４００ｃに対して開閉自在にそれぞれ軸支されている。便座２００ｃは、前述したように、その内部に加熱部２１０を有する。
【００６３】
また、便蓋３００ｃは、図１１に表したように、矩形に近い形状を有する。より具体的には、便蓋３００ｃを上面に対して垂直に見た場合に、便蓋３００ｃの後方部および左右側方部は略直線を有し、便蓋３００ｃの前方部のみが曲線を有する。これに伴い、便座２００ｃは、便蓋３００ｃと同様に、矩形に近い形状を有する。これによれば、暖房便座装置１００ｃを備えたトイレ装置は、シャープなデザインを有するため、その意匠性を高めることができる。
【００６４】
本具体例の便蓋３００ｃでは、図１２に表した真空断熱体３５０が便蓋３００ｃの上面部および側面部に配設される。つまり、真空断熱体３５０は、図９に表した真空断熱体３４０と同様に、図８に表した真空断熱体３２０と真空断熱体３３０とが一体化されたような構造を有する。
【００６５】
ここで、本変形例の真空断熱体３５０の封止部３５４は、図１２に表したように、その周端部を複数に区画された折込片３５４ａを有する。そして、隣接する折込片３５４ａ同士の間には、封止部３５４の周端部から内側に向かって切り込まれたスリット３５４ｂが形成されている。言い換えれば、スリット３５４ｂが形成され、封止部３５４の周端部が複数に区画された結果、封止部３５４の周端部には折込片３５４ａが形成されている。一方、接着部３５５には、封止部３５４に形成されたスリット３５４ｂの間に入り込むようにして、スリット３５５ａが形成されている。
【００６６】
そして、真空断熱体３５０は、便蓋３００ｃと同様に、矩形に近い形状を有する。より具体的には、真空断熱体３５０は、図１２に表したように、真空断熱体３５０の後方部および左右側方部は略直線を有し、真空断熱体３５０の前方部のみが曲線を有する。その曲線は、図６に表した真空断熱体３４０の前方部の曲線よりも大きな半径を有し、直線により近い。そのため、本具体例の真空断熱体３５０には、その前方部においてのみ、スリット３５４ｂ、３５５ａおよび折込片３５４ａが形成されている。つまり、本具体例の真空断熱体３５０に設けられたスリット３５４ｂ、３５５ａおよび折込片３５４ａは、図６に表した真空断熱体３４０に設けられたスリット３４４ｂ、３４５ａおよび折込片３４４ａよりもそれぞれ少ない。
【００６７】
これによれば、図１２に表した二点鎖線Ｄに沿って折り曲げる折込片３５４ａが、図６に表した折込片３４４ａよりも少ないため、封止部３５４および接着部３５５の前方部には皺（しわ）が生じにくい。つまり、封止部３４４および接着部３４５を曲げた際に生ずる余計な部分（皺になる部分）が、生じにくい。また、スリット３５４ｂ、３５５ａおよび折込片３５４ａの数はより少ないため、真空断熱体３５０をより容易に形成することができる。なお、その他の効果についても、図９に関して前述した効果と同様の効果を得ることができる。
【００６８】
以上説明したように、本実施形態によれば、真空断熱体３２０は、便蓋３００の上面部３０４に配設され、真空断熱体３３０は、便蓋３００の側面部３０５に配設されている。あるいは、真空断熱体３４０は、便蓋３００ａの上面部３０４および側面部３０５に配設されている。真空断熱体３２０、３３０、３４０は、より優れた断熱性を有するため、その厚さが薄い場合であっても、断熱性能を確保することができる。そのため、本実施形態の暖房便座装置では、断熱性能を維持しつつ、便蓋の少なくとも側面部の厚さを薄くすることができる。したがって、使用者は、便蓋を手で開閉させる際に、その便蓋を持ちにくいと感じるおそれはより少ない。また、開いている状態の便蓋の側面部は、人目に付きやすいが、その側面部の厚さは薄いため、便蓋の意匠性が損なわれるおそれは少ない。
【００６９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、暖房便座装置１００などが備える各要素の形状、寸法、材質、配置などや便蓋３００や便座２００や加熱部２１０などの設置形態などは、例示したものに限定されるわけではなく適宜変更することができる。  
また、断熱材３１０を設けることなく、真空断熱体３２０、３３０、３４０を底板３０２に押し当てるリブを便蓋本体３０１、３０１ｂに設けたり、真空断熱体３２０、３３０、３４０を底板３０２、３０２ｂに接着したりして、真空断熱体３２０、３３０、３４０を底板３０２、３０２ｂに沿うように配設してもよい。すなわち、真空断熱体３２０、３３０、３４０の動きを拘束するものは、断熱材３１０に限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００７０】
【図１】本発明の実施の形態にかかる暖房便座装置を備えたトイレ装置を例示する側面模式図である。
【図２】本実施形態の真空断熱体の構造を例示する断面模式図である。
【図３】本実施形態の便蓋の上面部に配設される真空断熱体を表す平面模式図である。
【図４】図４（ａ）は、本実施形態の便蓋の側面部に配設される真空断熱体を表す平面模式図であり、図４（ｂ）は、本実施形態の便蓋の側面部に配設された状態の真空断熱体の設置形態を上方から眺めた平面模式図である。
【図５】本実施形態の変形例にかかる暖房便座装置を備えたトイレ装置を例示する側面模式図である。
【図６】本変形例の真空断熱体を表す平面模式図である。
【図７】本実施形態の具体例にかかる暖房便座装置を備えたトイレ装置を例示する斜視模式図である。
【図８】本具体例の便蓋の内部構造を表す断面模式図であり、図７に表したＢ−Ｂ断面図に相当する。
【図９】本実施形態の他の具体例の便蓋の内部構造を表す断面模式図であり、図７に表したＢ−Ｂ断面図に相当する。
【図１０】本実施形態のさらに他の具体例の便蓋の内部構造を表す断面模式図であり、図７に表したＢ−Ｂ断面図に相当する。
【図１１】本実施形態のさらに他の具体例にかかる暖房便座装置を備えたトイレ装置を例示する斜視模式図である。
【図１２】本具体例の真空断熱体を表す平面模式図である。
【符号の説明】
【００７１】
１００、１００ａ、１００ｂ、１００ｃ 暖房便座装置、  ２００、２００ｂ、２００ｃ 便座、  ２０１、２０１ｂ 上面、  ２０２ 外周側面、  ２０３ 支持部、  ２１０ 加熱部、  ３００、３００ａ、３００ｂ、３００ｃ 便蓋、  ３０１、３０１ｂ 便蓋本体、  ３０２、３０２ｂ 底板、  ３０３ 空洞部、  ３０４ 上面部、  ３０５ 側面部、  ３１０、３１０ｂ 断熱材、  ３２０、３２０ｂ 真空断熱体、  ３２１ 外皮、  ３２３ 芯材、  ３２４ 封止部、  ３２５ 接着部、  ３３０ 真空断熱体、  ３３４ 封止部、  ３３５ 接着部、  ３４０ 真空断熱体、  ３４４ 封止部、  ３４４ａ 折込片、  ３４４ｂ スリット、  ３４５ 接着部、  ３４５ａ スリット、  ３４９ 屈曲部、  ３５０ 真空断熱体、  ３５４ 封止部、  ３５４ａ 折込片、  ３５４ｂ スリット、  ３５５ 接着部、  ３５５ａ スリット、  ４００ 機能部、  ４００ｂ 機能部、  ４００ｃ 機能部、  ４１０ 制御部、  ５００、５００ｃ 便器
【図１】
2010110573.tif 000003
【図２】
2010110573.tif 000004
【図３】
2010110573.tif 000005
【図４】
2010110573.tif 000006
【図５】
2010110573.tif 000007
【図６】
2010110573.tif 000008
【図７】
2010110573.tif 000009
【図８】
2010110573.tif 000010
【図９】
2010110573.tif 000011
【図１０】
2010110573.tif 000012
【図１１】
2010110573.tif 000013
【図１２】
2010110573.tif 000014